(57)【要約】【課題】信号種を兼用した入力端子を複数備えた場合であっても、コストを大きく増加させることなく、各々の端子で信号種判定を行うこと。【解決手段】表示装置は、第一及び第二の映像信号種が入力可能な第一及び第二の入力端子と、第一及び第二の入力端子に入力される映像信号の有無を判定するとともに、第一及び第二の入力端子に入力される同期信号種を判定する第一の判定手段と、第一及び第二の入力端子に入力される映像信号のうち一方を出力する切り換え手段と、切り換え手段から出力される映像信号の水平及び垂直同期信号の周波数を測定する周波数測定手段と、第一の判定手段の同期信号種の判定結果と周波数測定手段の周波数の測定結果に基づいて切り換え手段が選択している入力端子の映像信号種を判定するとともに、第一の判定手段の同期信号種の判定結果に基づいて切り換え手段が選択していない入力端子の映像信号種を判定する第二の判定手段とを有する。【選択図】  図１
2013156612.tif 000002
【特許請求の範囲】
【請求項１】
第一の映像信号種と該第一の映像信号種と異なる第二の映像信号種が入力可能な第一の入力端子と、
前記第一の映像信号種と前記第二の映像信号種が入力可能な第二の入力端子と、
前記第一の入力端子及び前記第二の入力端子に入力される映像信号の有無を判定するとともに、前記第一の入力端子及び前記第二の入力端子に入力される同期信号種を判定する第一の判定手段と、
前記第一の入力端子及び前記第二の入力端子に入力される映像信号のうち一方を出力する切り換え手段と、
前記切り換え手段から出力される映像信号の水平同期信号及び垂直同期信号の周波数を測定する周波数測定手段と、
前記第一の判定手段の同期信号種の判定結果と前記周波数測定手段の周波数の測定結果に基づいて前記切り換え手段が選択している入力端子の映像信号種を判定するとともに、前記第一の判定手段の同期信号種の判定結果に基づいて前記切り換え手段が選択していない入力端子の映像信号種を判定する第二の判定手段と、
を有することを特徴とする表示装置。
【請求項２】
前記第一の入力端子及び前記第二の入力端子に入力可能な映像信号種から一つを選択する入力選択手段と、
前記第一の判定手段の映像信号の有無の判定結果と、前記入力選択手段に選択された映像信号種から前記切り換え手段を制御する切り換え制御手段と、
を有することを特徴とする請求項１に記載の表示装置。
【請求項３】
前記切り換え制御手段は、
前記第一の判定手段の判定結果が、
前記第一の入力端子及び第二の入力端子のうち一方にのみ映像信号が有りと判定された場合は映像信号が有りと判定された入力端子に切り換え、
前記第一の入力端子及び第二の入力端子の両方に映像信号が有りと判定された場合は前記入力選択手段で選択されている映像信号種が属する入力端子に切り換えるように制御することを特徴とする請求項２に記載の表示装置。
【請求項４】
前記第一の映像信号種及び第二の映像信号種は、それぞれ、アナログＲＧＢ信号及びコンポーネントビデオ信号であり、
前記第一の判定手段は、前記第一の入力端子及び前記第二の入力端子に入力される同期信号種がシンクオングリーン信号であるか否かを判定することを特徴とする請求項１〜３のいずれか１項に記載の表示装置。
【請求項５】
前記第二の判定手段は、
コンポーネントビデオ信号の規格に対応する水平同期信号及び垂直同期信号の周波数を記憶したメモリを有し、
前記切り換え手段が選択している入力端子の映像信号種の判定は、前記第一の判定手段の同期信号種の判定結果がシンクオングリーン信号であり、かつ、前記周波数測定手段の周波数の測定結果が前記メモリに記憶されたものに一致する場合にコンポーネントビデオ信号と判定し、
前記切り換え手段が選択していない入力端子の映像信号種の判定は、前記第一の判定手段の同期信号種の判定結果がシンクオングリーン信号である場合にコンポーネントビデオ信号と判定することを特徴とする請求項１〜４のいずれか１項に記載の表示装置。
【請求項６】
前記第二の判定手段の判定結果に基づいて、前記第一の入力端子及び前記第二の入力端子に入力されている映像信号種を表示する表示手段を有することを特徴とする請求項１〜５のいずれか１項に記載の表示装置。
【発明の詳細な説明】
【技術分野】
【０００１】
本発明は、表示装置に関し、特に、液晶プロジェクタ装置やＤＬＰ（Ｄｉｇｉｔａｌ  Ｌｉｇｈｔ  Ｐｒｏｃｅｓｓｉｎｇ）プロジェクタ装置等の投射型表示装置や、液晶ディスプレイに関するものである。
【背景技術】
【０００２】
表示装置では、コンピュータのデジタルＲＧＢ信号、アナログＲＧＢ信号、ＡＶ機器のＨＤＭＩ信号、コンポーネントビデオ信号、コンポジットビデオ信号といった多数の入力に対応するものが求められている。これらの種々の入力に対し、表示装置にそれぞれ異なる入力端子を設けても良いが、省スペース化のため、異なる信号種（例えば、アナログＲＧＢ信号とコンポーネントビデオ信号）に対して入力端子を兼用する例も知られている。入力端子を兼用した場合であっても、各入力は、ＯＳＤ（Ｏｎ  Ｓｃｒｅｅｎ  Ｄｉｓｐｌａｙ）の入力選択メニューから使用者の操作によって信号種を選択させる事ができる。しかしながら、この操作は使用者にとって煩わしいため、自動的に信号種を判別させる技術が求められてきた。
【０００３】
そこで特許文献１では、入力端子から入力される同期信号の種別と、周波数等の状態を計測する事で、信号種を判定する技術が開示されている。
【先行技術文献】
【特許文献】
【０００４】
【特許文献１】特開２００７−２４１２６１号公報
【発明の概要】
【発明が解決しようとする課題】
【０００５】
しかしながら、特許文献１に開示された従来技術では、兼用としている入力端子（またはそれと同等の機能を持った入力端子）を増設した場合、同期信号の状態測定手段をもう一系統増設する必要がありコストの増加も大きくなってしまう。そこで、同期信号の状態測定手段を各端子専用とせずに、切り換え手段を用いて兼用とし、その切り換え手段は使用者の入力選択メニュー操作に同期させるという構成が考えられる。しかしながら、この構成では、使用者に選択されていない方の入力端子では信号種の判定が出来なくなってしまう。
【０００６】
そこで、本発明は、信号種を兼用した入力端子を複数備えた場合であっても、コストを大きく増加させることなく、各々の端子で信号種判定を行う事が可能な表示装置を提供することを目的とする。
【課題を解決するための手段】
【０００７】
本発明の一側面としての表示装置は、第一の映像信号種と該第一の映像信号種と異なる第二の映像信号種が入力可能な第一の入力端子と、前記第一の映像信号種と前記第二の映像信号種が入力可能な第二の入力端子と、前記第一の入力端子及び前記第二の入力端子に入力される映像信号の有無を判定するとともに、前記第一の入力端子及び前記第二の入力端子に入力される同期信号種を判定する第一の判定手段と、前記第一の入力端子及び前記第二の入力端子に入力される映像信号のうち一方を出力する切り換え手段と、前記切り換え手段から出力される映像信号の水平同期信号及び垂直同期信号の周波数を測定する周波数測定手段と、前記第一の判定手段の同期信号種の判定結果と前記周波数測定手段の周波数の測定結果に基づいて前記切り換え手段が選択している入力端子の映像信号種を判定するとともに、前記第一の判定手段の同期信号種の判定結果に基づいて前記切り換え手段が選択していない入力端子の映像信号種を判定する第二の判定手段と、を有することを特徴とする。
【発明の効果】
【０００８】
本発明によれば、信号種を兼用した入力端子を複数備えた場合であっても、コストを大きく増加させることなく、各々の端子で信号種判定を行う事が可能な表示装置を提供することができる。
【図面の簡単な説明】
【０００９】
【図１】本発明の実施形態における表示装置のブロック構成図である。
【図２】本発明の実施形態における切り換え制御部６の制御フローである。
【図３】本発明の実施形態における信号種判定部７４の入力端子Ａ１の判定フローである。
【発明を実施するための形態】
【００１０】
以下に、本発明の好ましい実施の形態を、添付の図面に基づいて詳細に説明する。
【実施例１】
【００１１】
以下、図１〜図３を参照して、本発明の第１の実施例による表示装置について説明する。図１は、本発明の実施形態にかかわる表示装置のブロック構成図である。表示装置は、入力端子Ａ１、入力端子Ｂ２、切り換え部３、信号検出部４、入力選択部５、切り換え制御部６、映像信号種判定部７０、画像処理部８０を有する。本実施例の表示装置は、液晶プロジェクタ、ＤＬＰ（Ｄｉｇｉｔａｌ  Ｌｉｇｈｔ  Ｐｒｏｃｅｓｓｉｎｇ）プロジェクタ等の投射型表示装置や液晶ディスプレイに適用することができる。
【００１２】
入力端子Ａ１（第一の入力端子）、及び、入力端子Ｂ２（第二の入力端子）は、Ｄ−Ｓｕｂ１５ピン端子であり、コンピュータ等のアナログＲＧＢ信号、及び、ＡＶ機器等のコンポーネントビデオ信号用の入力端子である。すなわち、入力端子Ａ１、及び、入力端子Ｂ２のそれぞれは、アナログＲＧＢ信号（第一の映像信号種）及びコンポーネントビデオ信号種（第二の映像信号種）の２つの映像信号種が入力可能な入力端子である。それぞれ、水平同期信号線、垂直同期信号線、Ｒ（Ｃｒ）信号線、Ｇ（Ｙ）信号線、Ｂ（Ｃｂ）信号線の５種の信号受け口を有し、コンピュータやＡＶ機器と接続される。
【００１３】
切り換え部（切り換え手段）３は、切り換え制御部（切り換え制御手段）６に従い、入力端子Ａ１、または、入力端子Ｂ２に入力される映像信号の一方を後段へ出力する。
【００１４】
信号検出部（第一の判定手段）４は、入力端子Ａ１及び入力端子Ｂ２それぞれの水平／垂直同期信号線及びＧ（Ｙ）信号線を監視し、映像信号（すなわち、同期信号）の有無を判定し、同期信号が存在すると判定された場合はさらに同期信号種の判定も行う。同期信号種としては、水平同期信号線から水平同期信号が、垂直同期信号線から垂直同期信号がそれぞれ入力される水平／垂直分離同期信号、Ｇ（Ｙ）信号線に複合同期信号が重畳されたシンクオングリーン信号の２種の同期信号判定が行える。本発明は、上記２種で成り立つが、水平同期信号線から入力される複合同期信号に対しても判別できることがより好ましい。
【００１５】
入力選択部（入力選択手段）５は、ユーザによって操作され、表示装置として表示する入力信号の選択を行う。本実施例では、入力端子Ａ１から入力される、アナログＲＧＢ信号Ａ、コンポーネントビデオ信号Ａ、及び、入力端子Ｂ２から入力される、アナログＲＧＢ信号Ｂ、コンポーネントビデオ信号Ｂの４種が入力信号として選択可能である。より具体的な選択方法としては、不図示の操作ボタンやＯＳＤ（オンスクリーンディスプレー）によるメニュー操作等が利用可能だが、それらによって制限されるものではない。
【００１６】
切り換え制御部（切り換え制御手段）６は、信号検出部（第一の判定手段）４の同期有無状態の判定結果、及び、入力選択部（入力選択手段）５の選択状態に依存して、切り換え部（切り換え手段）３の切り換え制御を行う。詳細な制御フローについては後述する。
【００１７】
映像信号種判定部７０は、同期信号分離部７１、同期周波数測定部（周波数測定手段）７２、メモリ７３、信号種判定部（第二の判定手段）７４を有する。
【００１８】
同期信号分離部７１は、水平／垂直分離同期信号が入力されている場合はそのまま出力し、水平／垂直分離同期信号が入力されておらずにシンクオングリーン信号が入力されている場合は水平／垂直分離形式に分離し出力する。同期信号以外の映像信号は処理を加えずに出力する。
【００１９】
同期周波数測定部（周波数測定手段）７２は、水平同期信号及び垂直同期信号を入力とし、それぞれの凡その周波数（もしくは周期）を測定し、信号種判定部７４へと通知する。
【００２０】
メモリ７３は、コンポーネントビデオ信号の同期信号周波数を規定した規格から、表示装置として対応するフォーマットの水平同期周波数、垂直同期周波数をリストとして記憶している。
【００２１】
信号種判定部（第二の判定手段）７４は、入力端子Ａ１及び入力端子Ｂ２からそれぞれ入力されている映像信号の種類の判定を行う。切り換え部（切り換え手段）３が選択している側の入力端子においては、信号検出部（第一の判定手段）４で判定される同期信号種と同期周波数測定部７２で測定される水平／垂直同期周波数（もしくは周期）に応じて詳細に判定する。一方、切り換え部（切り換え手段）３が選択していない側の入力端子においては、信号検出部（第一の判定手段）４の同期信号種で判定される同期信号種のみで簡易的に判定する。詳細な判定フローについては後述する。
【００２２】
画像処理部８０は、ＡＤ変換部８１、表示部８２、画像処理制御部８３を有する。
【００２３】
ＡＤ変換部８１は、アナログの映像信号を、画像処理制御部８３から設定されるクランプレベルとサンプリング周波数でＡＤ変換し、デジタルの映像信号へと変換する。
【００２４】
表示部（表示手段）８２は、隣接して配置された複数の画素を有する画像表示素子を備えており、入力されたデジタル映像信号を光映像として表示する。また、選択されている入力信号が属する入力端子の映像信号種の判定がコンポーネントビデオ信号である場合は、色空間をＹＣｂＣｒからＲＧＢへと変換する処理を行う。また、表示部８２はＯＳＤも備えており、画像処理制御部８３の制御により、各入力信号の映像信号有無状態の表示を行うこともできる。
【００２５】
画像処理制御部８３は、入力選択部（入力選択手段）５で選択されている入力信号、及び、信号種判定部７４に判定された各入力端子の映像信号種に応じて、ＡＤ変換部８１と表示部８２の制御を行う。ＡＤ変換部８１のクランプレベル制御は、選択されている入力信号が属する入力端子の映像信号種の判定が、映像信号種がアナログＲＧＢ信号である場合は、ＲＧＢ各信号ともペデスタルクランプする。一方、映像信号種がコンポーネントビデオ信号である場合は、Ｇ（Ｙ）信号はペデスタルクランプし、Ｂ（Ｃｂ）信号及びＲ（Ｃｒ）信号はミドルクランプする。また、サンプリング周波数制御については、同期周波数測定部７２で測定される周波数（もしくは周期）の測定結果から、不図示のサンプリング周波数決定部によって決定され、画像処理制御部８３により設定される。表示部（表示手段）８２に対しては、信号種判定部７４の判定結果が変化するたびに、所定時間各入力信号の映像信号有無状態の表示を行うように制御する。
【００２６】
切り換え制御部（切り換え制御手段）６の制御フローについて説明する。図２は、切り換え制御部（切り換え制御手段）６の制御フローである。入力端子Ａ１に信号がなく（ステップＳ２０１のＮ）、入力端子Ｂ２にも信号がない（ステップＳ２０５のＮ）場合は、切り換え動作を行わない。入力端子Ａ１に信号がない（ステップＳ２０１のＮ）が入力端子Ｂ２には信号がある（ステップＳ２０５のＹ）場合は、切り換え部（切り換え手段）３を入力端子Ｂ２側に切り換える（ステップＳ２０６）。入力端子Ａ１に信号がある（ステップＳ２０１のＹ）が入力端子Ｂ２には信号がない（ステップＳ２０２のＮ）場合は、切り換え部（切り換え手段）３を入力端子Ａ１側に切り換える（ステップＳ２０４）。入力端子Ａ１に信号がある（ステップＳ２０１のＹ）が入力端子Ｂ２にも信号がある（ステップＳ２０２のＹ）場合は、入力選択部５の選択状況（ステップＳ２０３）に依存する。入力選択部５が入力端子Ａ１側の入力信号、すなわち、アナログＲＧＢ信号Ａまたはコンポーネントビデオ信号Ａを選択している場合は、切り換え部（切り換え手段）３を入力端子Ａ１側に切り換える（ステップＳ２０４）。一方、入力端子Ｂ２側の入力信号、すなわち、アナログＲＧＢ信号Ｂまたはコンポーネントビデオ信号Ｂを選択している場合は、切り換え部（切り換え手段）３を入力端子Ｂ２側に切り換える（ステップＳ２０６）。
【００２７】
信号種判定部７４の判定フローについて説明する。図３は、信号種判定部７４における、入力端子Ａ１の判定フローである。入力端子Ａ１に信号がない（ステップＳ３０１のＮ）場合は、入力端子Ａ１は映像信号が入力されていないと判定する（ステップＳ３０７）。入力端子Ａ１に信号がある（ステップＳ３０１のＹ）場合は同期信号種の判定結果（ステップＳ３０２）に依存する。同期信号種がシンクオングリーン信号でない（ステップＳ３０２のＮ）場合は、入力端子Ａ１にはアナログＲＧＢ信号が入力されていると判定（ステップＳ３０６）する。同期信号種がシンクオングリーン信号である（ステップＳ３０２のＹ）場合は、切り換え部（切り換え制御手段）３の選択状態（ステップＳ３０３）に依存する。切り換え部（切り換え制御手段）３が入力端子Ｂ２側を選択している（ステップＳ３０３のＮ）場合は、入力端子Ａ１にはコンポーネントビデオ信号が入力されていると判定（ステップＳ３０５）する。切り換え部（切り換え制御手段）３が入力端子Ａ１を選択している（ステップＳ３０３のＹ）場合は、同期周波数測定部７２の測定結果（ステップＳ３０４）に依存する。測定周波数がメモリにあるものと一致する場合はコンポーネントビデオ信号と判定（ステップＳ３０５）し、そうでない場合にはアナログＲＧＢ信号と判定（ステップＳ３０６）する。ここで、一致とは、完全に一致する場合と、許容誤差の範囲内で完全一致からずれている略一致の場合とを含む意味である。入力端子Ｂ２の映像信号種判定も同様のフローで行える。
【００２８】
以上のようにすることで、入力端子Ａ１または入力端子Ｂ２の一方にしか映像信号が存在しない場合は、入力選択部（入力選択手段）５の設定によらず、アナログＲＧＢ信号なのかコンポーネントビデオ信号なのかを正しく判別することができる。入力端子Ａ１及び入力端子Ｂ２の両方に映像信号が存在する場合には、入力選択部（入力選択手段）５が選択している側の入力端子については映像信号種を正しく判定でき、選択されていない側の入力端子についても簡易的ではあるが映像信号種の判定ができる。したがって、表示装置が信号種を兼用した入力端子を複数備えた場合であっても、コストを大きく増加させることなく、各々の端子で信号種判定を行うことができる。
【００２９】
本実施例では、入力端子Ａ１及び入力端子Ｂ２は、Ｄ−Ｓｕｂ１５ピン端子としたが、ＤＶＩ−Ｉ端子や５ＢＮＣ端子でも同様の効果が得られる。また、表示部（表示手段）８２は、入力映像信号の有無情報の表示をＯＳＤで行うとしたが、表示装置の外装部分にＬＥＤを備え、それにより行うようにしてもよい。また、入力選択部（入力選択手段）５は、入力信号を４種の中から選択するようにしたが、入力端子を選択するようにし、映像信号種に対しては映像信号種判定部７０の判定結果を用いるようにしてもよい。この場合、表示部（表示手段）８２の表示内容は、各入力端子に対する映像信号種の判定結果にすればよい。
【００３０】
また、本発明における「入力可能」とは、アナログＲＧＢ信号とコンポーネント信号が入力端子から入力可能であることであり、必ずしも入力されたアナログＲＧＢ信号とコンポーネント信号が適正な状態で出力可能である必要はない。例えば、入力端子Ｂ２は、アナログＲＧＢ信号とコンポーネント信号が入力可能な端子であるが、適正な状態で出力可能な信号は、コンポーネント信号のみであるような構成であってもよいし、ＲＧＢ信号のみであるような構成であってもよい。ここで、適正な状態とは、ＡＤ変換部８１のクランプレベル制御、サンプリング周波数制御、及び、表示部（表示手段）８２での色空間変換制御等が適正に行われていない状態の事を指す。
【００３１】
以上、本発明の好ましい実施形態について説明したが、本発明はこれらの実施形態に限定されず、その要旨の範囲内で種々の変形及び変更が可能である。
【産業上の利用可能性】
【００３２】
本発明の表示装置は、液晶プロジェクタ、ＤＬＰプロジェクタ等の投射型表示装置や液晶ディスプレイに好適に適用することができる。
【符号の説明】
【００３３】
１  入力端子Ａ
２  入力端子Ｂ
３  切り換え部（切り換え手段）
４  信号検出部（第一の判定手段）
７２  同期周波数測定部（周波数測定手段）
７４  信号種判定部（第二の判定手段）
【図１】
2013156612.tif 000003
【図２】
2013156612.tif 000004
【図３】
2013156612.tif 000005
【手続補正書】
【提出日】平成24年11月13日(2012.11.13)
【手続補正１】
【補正対象書類名】特許請求の範囲
【補正対象項目名】全文
【補正方法】変更
【補正の内容】
【特許請求の範囲】
【請求項１】
第一の映像信号種と該第一の映像信号種と異なる第二の映像信号種が入力可能な第一の入力端子と、
前記第一の映像信号種と前記第二の映像信号種が入力可能な第二の入力端子と、
前記第一の入力端子及び前記第二の入力端子に入力される映像信号の有無を判定するとともに、前記第一の入力端子及び前記第二の入力端子に入力される同期信号種を判定する第一の判定手段と、
前記第一の入力端子及び前記第二の入力端子に入力される映像信号のうち一方を出力する切り換え手段と、
前記切り換え手段から出力される映像信号の同期信号の周波数を測定する周波数測定手段と、
前記第一の判定手段の同期信号種の判定結果と前記周波数測定手段の周波数の測定結果に基づいて前記切り換え手段によって接続される入力端子の映像信号種を判定するとともに、前記第一の判定手段の同期信号種の判定結果に基づいて前記切り換え手段によって接続されていない入力端子の映像信号種を判定する第二の判定手段と、
を有することを特徴とする表示装置。
【請求項２】
前記周波数測定手段は、水平同期信号及び垂直同期信号の周波数を測定することを特徴とする請求項１に記載の表示装置。
【請求項３】
前記第一の入力端子及び前記第二の入力端子に入力可能な映像信号種から一つを選択する入力選択手段と、
前記第一の判定手段の映像信号の有無の判定結果と、前記入力選択手段によって選択された映像信号種に基づき前記切り換え手段を制御する切り換え制御手段と、
を有することを特徴とする請求項１又は２に記載の表示装置。
【請求項４】
前記切り換え制御手段は、
前記第一の判定手段によって前記第一の入力端子及び第二の入力端子のうち一方にのみ入力される映像信号が有ると判定された場合は、映像信号が有ると判定された入力端子に前記切り換え手段を切り換え、
前記第一の入力端子及び第二の入力端子の両方に入力される映像信号が有ると判定された場合は、前記入力選択手段により選択されている映像信号種が属する入力端子に前記切り換え手段を切り換えるように制御することを特徴とする請求項３に記載の表示装置。
【請求項５】
前記第一の映像信号種及び第二の映像信号種は、それぞれ、アナログＲＧＢ信号及びコンポーネントビデオ信号であり、
前記第一の判定手段は、前記第一の入力端子及び前記第二の入力端子に入力される同期信号種がシンクオングリーン信号であるか否かを判定することを特徴とする請求項１乃至４のいずれか１項に記載の表示装置。
【請求項６】
前記第二の判定手段は、
コンポーネントビデオ信号の規格に対応する同期信号の周波数を記憶したメモリを有し、
前記第一の判定手段の同期信号種の判定結果がシンクオングリーン信号であり、かつ、前記周波数測定手段の周波数の測定結果が前記メモリに記憶されたものに一致する場合、前記切り換え手段によって接続されている入力端子に入力された映像信号種をコンポーネントビデオ信号と判定し、
前記第一の判定手段の同期信号種の判定結果がシンクオングリーン信号である場合、前記切り換え手段によって接続されていない入力端子に入力された映像信号種をコンポーネントビデオ信号と判定することを特徴とする請求項１乃至５のいずれか１項に記載の表示装置。
【請求項７】
前記メモリは、コンポーネントビデオ信号の規格に対応する水平同期信号及び垂直同期信号の周波数を記憶することを特徴とする請求項６に記載の表示装置。
【請求項８】
前記第二の判定手段の判定結果に基づいて、前記第一の入力端子及び前記第二の入力端子に入力されている映像信号種を表示する表示手段を有することを特徴とする請求項１乃至７のいずれか１項に記載の表示装置。
【手続補正２】
【補正対象書類名】明細書
【補正対象項目名】０００７
【補正方法】変更
【補正の内容】
【０００７】
本発明の一側面としての表示装置は、第一の映像信号種と該第一の映像信号種と異なる第二の映像信号種が入力可能な第一の入力端子と、前記第一の映像信号種と前記第二の映像信号種が入力可能な第二の入力端子と、前記第一の入力端子及び前記第二の入力端子に入力される映像信号の有無を判定するとともに、前記第一の入力端子及び前記第二の入力端子に入力される同期信号種を判定する第一の判定手段と、前記第一の入力端子及び前記第二の入力端子に入力される映像信号のうち一方を出力する切り換え手段と、前記切り換え手段から出力される映像信号の同期信号の周波数を測定する周波数測定手段と、前記第一の判定手段の同期信号種の判定結果と前記周波数測定手段の周波数の測定結果に基づいて前記切り換え手段によって接続される入力端子の映像信号種を判定するとともに、前記第一の判定手段の同期信号種の判定結果に基づいて前記切り換え手段によって接続されていない入力端子の映像信号種を判定する第二の判定手段と、を有することを特徴とする。
【手続補正３】
【補正対象書類名】明細書
【補正対象項目名】００１３
【補正方法】変更
【補正の内容】
【００１３】
切り換え部（切り換え手段）３は、切り換え制御部（切り換え制御手段）６に従い、入力端子Ａ１、または、入力端子Ｂ２に入力される映像信号の一方を後段の映像信号種判定部７０へ出力する。つまり、切り換え制御部６は、同期信号分離部７１等を含む映像信号種判定部７０と入力端子Ａ１、または、入力端子Ｂ２との接続を切り換えている。
【手続補正４】
【補正対象書類名】明細書
【補正対象項目名】００１８
【補正方法】変更
【補正の内容】
【００１８】
同期信号分離部７１は、水平／垂直分離同期信号が入力されている場合は、同期信号をそのまま出力し、水平／垂直分離同期信号が入力されておらずにシンクオングリーン信号が入力されている場合は水平／垂直分離形式に分離し出力する。同期信号以外の映像信号は処理を加えずに出力する。
【手続補正５】
【補正対象書類名】明細書
【補正対象項目名】００２１
【補正方法】変更
【補正の内容】
【００２１】
信号種判定部（第二の判定手段）７４は、入力端子Ａ１及び入力端子Ｂ２からそれぞれ入力されている映像信号の種類の判定を行う。切り換え部（切り換え手段）３が選択（接続）している側の入力端子においては、信号検出部（第一の判定手段）４で判定される同期信号種と同期周波数測定部７２で測定される水平／垂直同期周波数（もしくは周期）に応じて詳細に判定する。一方、切り換え部（切り換え手段）３が選択していない側の入力端子においては、信号検出部（第一の判定手段）４の同期信号種で判定される同期信号種のみで簡易的に判定する。詳細な判定フローについては後述する。